(57)【特許請求の範囲】
【請求項１】
遊技領域内に表示部が設けられており、その表示部の表示内容が特定の態様となると、遊技者にとって有利な特別遊技状態が生起する遊技機であって、
前記表示部の前方に、表示部より一回り大きく、遊技球が進入可能な飛込口を上部に備えた遊技部材を設置し、
該遊技部材に、前記飛込口と連通し前記飛込口から進入した遊技球が通過可能な第１中空路を、前記表示部の液晶画面の上部及び左右両側に亘って設け、左右両側に設けられた第１中空路の下端を、遊技球よりも幅広に形成された第１排出部を備えてなる第１ステージに連通させるとともに、
前記遊技部材の第１中空路よりも後方で且つ前記液晶画面の前方となる位置に、左右対称な「への字」状に屈曲した透明な複数の障害体を液晶画面のほぼ全面の前方に位置するように千鳥状に立設した透明な板部材を設置し、該板部材の上方に、前記飛込口と連通し前記飛込口から進入した遊技球が通過可能で、前記板部材の前面へと遊技球を導く第２中空路を設ける一方、前記板部材の下方で且つ前記第１ステージよりも上方となる位置に、遊技球略１個程度の幅を有し平面視で前記第１排出部と同一直線上に形成された第２排出部を備えた第２ステージを設け、
前記飛込口から進入した遊技球のうちの一部を、前記第１中空路を介して前記第１ステージへと導き、前記第１排出部から前記遊技部材外へと排出するとともに、前記飛込口から進入した遊技球のうちの一部を、前記第２中空路を介して前記板部材の前面へと導き、その板部材の前方を前記複数の障害体と衝突しながら流下させて第２ステージへと導き、第２排出部から前記第１排出部を介して前記遊技部材外へと排出することを特徴とする遊技機。
【発明の詳細な説明】
【０００１】
【発明の属する技術分野】
本発明はパチンコ機、スロットマシーン等の遊技機に関するものである。
【０００２】
【従来の技術】
遊技機であるパチンコ機の一種として、遊技領域内に、複数の図柄を複数の部位に表示可能な図柄表示部が設けられており、その図柄表示部に表示される複数の図柄が予め設定されている特定の図柄の組み合わせ（いわゆる「大当たり図柄」）となった場合に、遊技者にとって有利な特別遊技状態（いわゆる「大当たり状態」）が生起する図柄合わせタイプのパチンコ機が知られている。かかる図柄合わせタイプのパチンコ機においては、図柄表示部は、色々な図柄やメッセージ等を、種々の態様で、遊技者に分かり易く、かつ、面白く表示できるように、液晶表示装置等によって、非常に大きく形成されている。また、従来の図柄合わせタイプのパチンコ機においては、図柄表示部の前面を通過した遊技球によって遊技者の視界が遮られて表示された図柄等が遊技者から見えにくくなる事態を防止する目的、および、障害釘のない図柄表示部の前面を流下し落下速度を増大させた遊技球が衝突することにより図柄表示部下方の入賞装置や障害釘等が損傷する事態を防止する目的で、複数の障害釘が適宜配設され、遊技領域に打ち込まれた遊技球が図柄表示部の前面を流下せず、図柄表示部の両脇のみを流下するようになっている。
【０００３】
【発明が解決しようとする課題】
しかしながら、従来の図柄合わせタイプのパチンコ機は、上記の如く、遊技領域に打ち込まれた遊技球が、図柄表示部の両脇のみを流下するように構成されているので、遊技球の流下態様が単調であり、面白さに欠ける面があった。このため、遊技者は遊技に対する意欲を失い易く、いつまでも興味を持って遊技をし続けることができなかった。
【０００４】
本発明の目的は、従来の図柄合わせタイプのパチンコ機における上記課題を解消し、遊技球の流下態様がバラエティーに富んでおり、趣向性が高く、遊技者がいつまでも飽きることなく遊技を楽しむことが可能な遊技機を提供することにある。
【０００５】
【課題を解決するための手段】
本発明の構成は、遊技領域内に表示部が設けられており、その表示部の表示内容が特定の態様となると、遊技者にとって有利な特別遊技状態が生起する遊技機であって、前記表示部の前方に、表示部より一回り大きく、遊技球が進入可能な飛込口を上部に備えた遊技部材を設置し、該遊技部材に、前記飛込口と連通し前記飛込口から進入した遊技球が通過可能な第１中空路を、前記表示部の液晶画面の上部及び左右両側に亘って設け、左右両側に設けられた第１中空路の下端を、遊技球よりも幅広に形成された第１排出部を備えてなる第１ステージに連通させるとともに、前記遊技部材の第１中空路よりも後方で且つ前記液晶画面の前方となる位置に、左右対称な「への字」状に屈曲した透明な複数の障害体を液晶画面のほぼ全面の前方に位置するように千鳥状に立設した透明な板部材を設置し、該板部材の上方に、前記飛込口と連通し前記飛込口から進入した遊技球が通過可能で、前記板部材の前面へと遊技球を導く第２中空路を設ける一方、前記板部材の下方で且つ前記第１ステージよりも上方となる位置に、遊技球略１個程度の幅を有し平面視で前記第１排出部と同一直線上に形成された第２排出部を備えた第２ステージを設け、前記飛込口から進入した遊技球のうちの一部を、前記第１中空路を介して前記第１ステージへと導き、前記第１排出部から前記遊技部材外へと排出するとともに、前記飛込口から進入した遊技球のうちの一部を、前記第２中空路を介して前記板部材の前面へと導き、その板部材の前方を前記複数の障害体と衝突しながら流下させて第２ステージへと導き、第２排出部から前記第１排出部を介して前記遊技部材外へと排出することにある。
【０００７】
【発明の実施の形態】
以下、本発明のパチンコ機の一実施形態を図面に基いて詳細に説明する。
【０００８】
［実施例１］
図１は、実施例１のパチンコ機１ａを示したものであり、パチンコ機１ａの遊技領域２の略中央には、１０インチの大型液晶画面によって形成された幅広な長方形状の図柄表示部３が設けられている。そして、その図柄表示部３の前方には、透明な合成樹脂製で図柄表示部３より一回り大きな長方形状の板部材４が設置されており、その板部材４の前面は、遊技領域２の表面と略面一になっている。また、板部材４の上下には、図柄変動入賞口５６，５６が設けられており、下側の図柄変動入賞口５６の下方には、大入賞口１１が設けられている。大入賞口１１は、扉部１２の下端縁が枢着されており、扉部１２の上端縁が前方に傾斜して開成するようになっている。なお、遊技領域２には、それらの他にも入賞口、風車、電飾ランプ等が設けられているとともに、多数の障害釘が立設されている。さらに、遊技領域２の前方には、ガラス板を嵌め込んだ前面枠１３が開閉自在に蝶着されている。前面枠１３には、供給皿４２、貯留皿４３が突設されており、貯留皿４３の右側には、発射ハンドル１４が突設されている。
【０００９】
図２、図３は、板部材４を示したものであり、板部材４の表面には、への字状に屈曲した複数の障害体５，５・・が一体的に突設されており、各障害体５，５・・は、上段に２個、中段に３個、下段に２個、千鳥状に設置された状態になっている。さらに、板部材４の中央の下端には、図柄表示部３の変動メモリーを示すメモリー表示部６が設けられている。なお、板部材４は、上下両端縁に穿設されたネジ孔７，７・・の部分が遊技領域２の表面に螺着されることによって、図柄表示部３の前方に設置されている。
【００１０】
また、図柄表示部３は、液晶画面の全体に亘って種々の図柄や動画、あるいはメッセージ等を、種々の態様で表示できるようになっている。さらに、図柄表示部３は、左側、中央、右側の３箇所に、一桁の数字や一文字のアルファベット等の図柄等を、別々に、種々の態様で表示できるようになっている上、表示された図柄等を適宜変動させることができるようになっている。
【００１１】
かかるパチンコ機１ａは、遊技球が大入賞口１１等の各入賞口に入賞した場合には、入賞口の種類に応じて予め定められている所定個数の賞品球を、賞品球払出装置（図示せず）により払い出すようになっている。また、パチンコ機１ａは、遊技球が何れかの図柄始動入賞口５６，５６に入賞した場合には、図柄表示部３の左側、中央、右側において、それぞれ図柄が変動を開始し、所定時間後に停止表示となり、停止表示となった３つの図柄が予め設定されている「大当たり図柄」である場合（たとえば、３つの図柄が同一である場合）には、「大当たり状態」が生起し、大入賞口１１がきわめて高い確率で所定回数断続的に開成するようになっている。したがって、「大当たり状態」が生起した場合には、遊技者はきわめて高い確率で多くの賞品球を獲得することができる。なお、パチンコ機１ａは、「大当たり状態」が生起した後には、その「大当たり状態」の生起を周囲に報知する目的や「大当たり状態」をより面白くする目的等によって、図柄表示部３の液晶画面の全体に亘って動画やメッセージ等を表示するようになっている。
【００１２】
また、パチンコ機１ａにおいては、遊技者によって発射ハンドル１４が操作されると、内蔵された発射装置（図示せず）によって、遊技球が遊技領域２の上方まで打ち出される。打ち出された遊技球は、遊技領域２に立設された多くの障害釘と衝突しながら、次第に流下するが、その際、従来のパチンコ機と異なり、図柄表示部３の両脇のみを流下するばかりでなく、図柄表示部３の前方に設置された板部材４の前方をも流下する。また、遊技球が板部材４の前方を流下する場合には、板部材４上に突設された複数の障害体５，５・・に、次々に衝突、転動しながら流下する。
【００１３】
パチンコ機１ａは、上記の如く構成されており、遊技領域２に打ち込まれた遊技球を、図柄表示部３の両脇ばかりでなく、図柄表示部３の前方からも流下させるので、従来のパチンコ機に比べて、遊技球の流下態様がバラエティーに富んでおり、遊技の趣向性が高い。また、板部材４が透明な合成樹脂によって形成されているので、図柄表示部３の前方に板部材４が設置されているにも拘わらず、図柄表示部３の大型液晶画面を明確に視認することができ、大型液晶画面の全体に亘って表示されるダイナミックな図柄や動画を楽しむことができる。したがって、遊技者はいつまでも飽きることなく遊技を楽しむことができる。
【００１４】
また、パチンコ機１ａは、板部材４上に、複数の障害体５，５・・が千鳥状に設置されており、上段、中段の障害体５，５・・に衝突した遊技球が、それぞれ、中段、下段の障害体５，５・・に衝突する可能性が非常に高く、流下する遊技球が左右に大きく揺れ動くため、遊技球の流下態様が非常に面白い。さらに、複数の障害体５，５・・と衝突させることによって、板部材４の前方を流下する遊技球の落下速度を増大させないので、板部材４の前方を流下した遊技球が図柄表示部３の下側に配置された図柄変動入賞口５６等の入賞装置や障害釘等に衝突した場合におけるそれらの入賞装置等の損傷を防止することができる。
【００１５】
［実施例２］
図４は、実施例２のパチンコ機１ｂを示したものであり、パチンコ機１ｂの遊技領域２の略中央には、４インチの小型液晶画面によって形成された幅広な長方形状の図柄表示部３が設置されている。そして、その図柄表示部３の前方には、図柄表示部３より一回り大きな遊技部材１６が設置されている。また、遊技部材１６の左右両側には、遊技球が通過可能な普通図柄始動ゲート１０，１０が設けられている。一方、遊技部材１６の下側には、いわゆるチューリップ形状の普通電動役物９が設けられており、普通電動役物９の下側には、大入賞口１１が設けられている。大入賞口１１は、扉部１２の下端縁が枢着されており、扉部１２の上端縁が前方に傾斜して開成するようになっている。さらに、扉部１２の下側には、普通図柄表示装置８が設けられており、一桁の数字や一文字のアルファベット等の図柄を表示したり、適宜変動させたりできるようになっている。なお、パチンコ機１ｂのその他の構成は、実施例１のパチンコ機１ａと略同様である。
【００１６】
図５〜図１０は、遊技部材１６を示したものであり、遊技部材１６は、前方から後方にかけて、前層部分ａ、中層部分ｂ、後層部分ｃの３層構造になっている（図７等参照）。そして、後層部分ｃの取付板３３の略中央には、透明な合成樹脂製の板部材１８が設置されており、その板部材１８の表面には、実施例１のパチンコ機の板部材４と同様に、への字状に屈曲した複数の障害体５，５・・が千鳥状に突設されている。
【００１７】
遊技部材１６の前層部分ａは、水平部１９の上面から入賞部２０が上方に突出した形状を有している。入賞部２０は、内部が中空状になっており、上側に入賞口２１が設けられており、左右両側に、飛込口２２，２２が設けられている。なお、入賞部２０の内部において、２つの飛込口２２，２２が連通した状態になっている。また、水平部１９上面の略中央には、導球部２３が浅い球面状に刻設されている。さらに、水平部１９前面の略中央には小型表示装置２４が内蔵されている。
【００１８】
一方、中層部分ｂの上側および左右両側には、第１中空路２５が形成されている。第１中空路２５の中央には、第１通過口３９が穿設されており、第１中空路２５の中央下側の壁面は、屋根形状を有する第１振分部２６になっている。また、第１中空路２５の左右両側の下端は、第１ステージ２７と連通した状態になっている。第１ステージ２７は、中央部分が僅かに低く形成されており、最も低い位置が浅く球面状に刻設されて第１排出部２８になっている。さらに、第１ステージ２７の前端縁には、ガード２９が垂設されており、そのガード２９の中央部分（すなわち、第１排出部２８の前方）には、排出口３０が緩い曲率半径の円弧状に刻設されている。なお、中層部分ｂの最上部には、第１案内体３１が設けられており、中層部分ｂの前面上方に穿設された通過孔３２を介して、前層部分ａの入賞口２１と連通した状態になっている。
【００１９】
また、後層部分ｃの上側には、第２中空路３５が形成されている。第２中空路３５の中央には、第２通過口４０が穿設されており、第２中空路３５の中央下側の壁面は、屋根形状を有する第２振分部３６になっており、その屋根の稜線は、導球部２３の中心線および第１振分部２６の稜線と一致した状態になっている。また、後層部分ｃの下端際には、平板状の第２ステージ３７が設けられている。第２ステージ３７は、第１ステージ２７と同様に、中央が僅かに低くなっており、最も低い位置が浅く球面状に刻設されて第２排出部３８になっている。その第２排出部３８は、遊技球略１個程度の幅に形成されており、第１排出部２８の幅よりも狭くなっている。なお、第２ステージ３７の方が第１ステージ２７よりも高くなっており、第２排出部３８の中心線の位置が、排出口３０の中心線の位置と一致した状態になっている。加えて、後層部分ｃの最上部には、第２案内体４１が設けられており、前層部分ａの入賞口２１および中層部分ｂの第１案内体３１と連通した状態になっている。なお、遊技部材１６は、取付板３３に穿設されたネジ孔１７，１７・・の部分が遊技領域２の表面に螺着されることによって、図柄表示部３の前方に設置されている。
【００２０】
かかるパチンコ機１ｂは、遊技球が何れかの普通図柄始動ゲート１０，１０内を通過した場合には、普通図柄表示装置８に表示された普通図柄が変動し、所定時間後に停止表示となり、停止表示となった普通図柄が予め設定されている「当たり図柄」である場合には、普通電動役物９が所定時間開成するようになっている。さらに、普通電動役物９に遊技球が入賞した場合には、図柄表示部３の左側、中央、右側において、それぞれ図柄が変動を開始するようになっている。なお、図柄が変動を開始した場合における作動内容は、実施例１のパチンコ機１ａと同様であり、図柄は所定時間後に停止表示となり、停止表示となった３つの図柄が「大当たり図柄」である場合には、「大当たり状態」が生起する。また、パチンコ機１ｂにおいては、電源投入時からの大当たり生起の積算回数が小型表示装置２４に表示される。
【００２１】
また、パチンコ機１ｂにおいては、遊技領域２に打ち込まれた遊技球が、飛込口２２，２２から入賞部２０内に飛び込むと、飛び込んだ遊技球の内の一部が、導球部２３上まで導かれる。導球部２３上まで導かれた遊技球は、第１通過口３９を通って、第１振分部２６上へ導かれ、第１中空路２５の左側あるいは右側に振り分けられる。そして、振り分けられた遊技球は、第１中空路２５内を通って、第１ステージ２７へ導かれ、第１ステージ２７上を左右に揺動した後、第１排出部２８から排出口３０を通って遊技部材１６の外部へと排出される。
【００２２】
一方、第１振分部２６上へ導かれた遊技球が、第１振分部２６の屋根の稜線付近を転動し、第２通過口４０から第２振分部３６上へ導かれることもある。かかる場合には、第２振分部３６上へ導かれた遊技球は、第２中空路３５の左側あるいは右側に振り分けられ、第２中空路３５の左右の出口から、板部材１８の前面に現出し、障害体，５・・に、次々に衝突して転動しながら第２ステージ３７上まで流下する。そして、第２ステージ３７上を左右に揺動した後、第２排出部３８から下側に位置した第１排出部２８へと流下する。しかる後、第１排出口３０を通って遊技部材１６の外部へと排出される。第１排出部２８から排出された遊技球は、第１排出部２８の下側に設置された普通電動役物９に向かって流下し、その内の一部が、上方に立設された障害釘の間を通過して普通電動役物９に入賞する。なお、第１排出部２８は幅広に形成されているため、第１ステージ２７上を揺動した後に第１排出部２８から排出された遊技球は、さほど高い確率で普通電動役物９に入賞しないが、第２排出部３８は遊技球略１個分の幅に形成されているため、第２排出部３８を通過した遊技球は、第１排出部２８上の略中心を通過して排出され、きわめて高い確率で普通電動役物９に入賞する。
【００２３】
パチンコ機１ｂは、上記の如く構成されており、遊技領域２に打ち込まれた遊技球を、図柄表示部３の両脇ばかりでなく、図柄表示部３の前方に設置された遊技部材１６の板部材１８の前方からも流下させるので、実施例１のパチンコ機１ａと同様、遊技球の流下態様がバラエティーに富んでおり、遊技の趣向性が高い。また、板部材１８が透明な合成樹脂によって形成されているので、図柄表示部３の前方に板部材１８が設置されているにも拘わらず、図柄表示部３の液晶画面を明確に視認することができ、液晶画面に表示される図柄や動画を楽しむことができる。したがって、遊技者はいつまでも飽きることなく遊技を楽しむことができる。
【００２４】
また、パチンコ機１ｂは、遊技部材１６内に遊技球が入球した場合であっても、第１中空路２５内を流下するか第２中空路３５内を流下するかによって普通電動役物９に入賞する確率が変化するとともに、実施例１のパチンコ機１ａと同様に、板部材１８上に、複数の障害体５，５・・が千鳥状に設置されており、上段、中段の障害体５，５・・に衝突した遊技球が、それぞれ、中段、下段の障害体５，５・・に衝突する可能性が非常に高く、流下する遊技球が左右に大きく揺れ動くため、遊技球の流下態様がきわめて面白い。また、複数の障害体５，５・・と衝突させることによって、板部材１８の前方を流下する遊技球の落下速度を増大させないので、板部材１８の前方を流下した遊技球が図柄表示部３の下側に配置された普通電動役物９等の入賞装置や障害釘等に衝突した場合におけるそれらの入賞装置等の損傷を防止することができる。
【００２５】
［実施例３］
図１１は、実施例３のパチンコ機１ｃを示したものであり、パチンコ機１ｃの遊技領域２の略中央には、１０インチの大型液晶画面によって形成された直方形状の図柄表示部３が設置されている。そして、その図柄表示部３の前方には、図柄表示部３より一回り大きな長方形状の遊技部材４４が設置されている。なお、パチンコ機１ｃのその他の構成は、実施例１のパチンコ機１ａと略同様である。
【００２６】
図１２〜図１４は、遊技部材４４を示したものであり、遊技部材４４の中央には、開口部４５が大きく設けられている。また、上方の部分は前方に突出しており、その突出部分の内部には、遊技球通路４６が設けられている。さらに、突出部分の中央には、Ｕ字溝状の入賞部４７が設けられており、その入賞部４７の左右両側には、入球口４８，４８が設けられている。そして、それらのた入球口４８，４８は、遊技球通路４６と連通した状態になっている。また、遊技球通路４６の底板４９は、前方から後方にかけて下向きに傾斜しており、上面に微小突起５０，５０・・が突設されている。
【００２７】
さらに、遊技部材４４の左右両サイドの内壁面には、帯状の２本の桟状体５１ａ，５１ｂが平行に懸架されており、開口部４５の中央よりやや上方、下方を横断した状態になっている。上側の桟状体５１ａは、遊技部材４４の左右両側の内壁面の後端際に懸架されており、下側の桟状体５１ｂは、遊技部材４４の左右両側の内壁面の前端際に懸架されている。そして、両桟状体５１ａ，５１ｂともに、前傾した状態になっている。また、上側の桟状体５１ａの上面には、四面体状を有する３個の凸状体５２，５２・・が略等間隔で突設されており、下側の桟状体５１ｂの上面には、同一形状の４個の凸状体５２，５２・・が略等間隔で突設されている。そして、上下の桟状体５１ａ，５１ｂ上の凸状体５２，５２・・は、互い違いに配置した状態になっている。なお、遊技部材４４は、左右両端、および下端に穿設されたネジ孔５３，５３・・の部分が遊技領域２の表面に螺着されることによって図柄表示部３の前方に設置されており、遊技部材４４の２本の桟状体５１ａ，５１ｂが、図柄表示部３を横断した状態になっている。また、パチンコ機１ｃのその他の構成は、実施例１のパチンコ機１ａと略同様である。
【００２８】
パチンコ機１ｃにおいては、図１５の如く、入球口４８，４８から遊技球通路４６内に入り込んだ遊技球は、底板４９上を転動した後、底板４９の後端縁と図柄表示部３との間から落下する。落下した遊技球は、上側の桟状体５１ａと衝突した後に前方に落下し、下側の桟状体５１ｂと衝突する。そして、下側の桟状体５１ｂの前方、あるいは後方から落下する。下側の桟状体５１ｂの前方から落下した遊技球は、そのまま遊技部材４４の下方まで落下するが、下側の桟状体５１ｂの後方から落下した遊技球は、遊技部材４４の底面５４上を転動する。そして、底面５９上を転動した遊技球が導球溝５５に嵌まり込んだ場合には、その遊技球は導球溝５５に沿って落下し、比較的に高い確率で、図柄始動入賞口５６に入賞する。
【００２９】
パチンコ機１ｃは、上記の如く構成されており、遊技領域２に打ち込まれた遊技球を、図柄表示部３の両脇ばかりでなく、図柄表示部３の前方からも流下させるので、実施例１のパチンコ機１ａや実施例２のパチンコ機１ｂと同様、遊技球の流下態様がバラエティーに富んでおり、遊技の趣向性が高い。また、パチンコ機１ｃは、実施例１のパチンコ機１ａや実施例２のパチンコ機１ｂと異なり、図柄表示部３の前方に板部材等が配置されていないので、図柄表示部３の前方を遊技球が流下している場合でも、図柄表示部３の大型液晶画面をきわめて明確に視認することができ、大型液晶画面の全体に亘って表示されるダイナミックな図柄や動画を十分に堪能することができる。したがって、遊技者はいつまでも飽きることなく遊技を楽しむことができる。
【００３０】
さらに、パチンコ機１ｃは、２本の桟状体５１ａ，５１ｂ・・と衝突させることによって、図柄表示部３の前方を流下する遊技球の落下速度を増大させないので、図柄表示部３の前方を流下した遊技球が図柄表示部３の下側に配置された図柄変動入賞口５６等の入賞装置や障害釘等に衝突した場合におけるそれらの入賞装置等の損傷を防止することができる。
【００３１】
なお、本発明の遊技機の構成は、上記実施形態の態様に何ら限定されるものではなく、各種入賞装置等の設置個数および形状、構造、障害釘の配置、図柄表示部の形状、表示内容、板部材、遊技部材の形状、構造、「大当たり状態」における作動内容等の構成を、本発明の趣旨を逸脱しない範囲で適宜変更できる。
【００３２】
たとえば、上記実施例１や実施例２のパチンコ機の如く、板部材に障害体を突設する場合には、板部材上に突設される障害体の個数は７個に限定されるものではなく、６個以下であっても良いし、８個以上であっても良い。また、形状もへの字状に限定されるものではなく、単なる円柱状や、頭の部分が膨らんだ円柱状体等であっても良い。さらに、障害体の配置も千鳥状に限定されず、上下同一の配置にすること等も可能である。
【００３３】
加えて、実施例３のパチンコ機の如く、図柄表示部の前方に桟状体を設ける場合には、桟状体の個数は２本に限定されるものではないし、形状も帯状に限定されない。さらに、桟状体上に突設される凸状体の形状、個数、配置も何ら限定されないし、桟状体上に凸状体を設けなくても良い。また、図柄表示部の前方に桟状体を設ける場合には、必ずしも図柄表示部の前方に遊技部材を設置する必要はなく、桟状体のみを図柄表示部の前方に設けることも可能である。
【００３４】
さらに、遊技機は、通常時には、図柄表示部の前方を遊技球が流下可能であり、図柄表示部の図柄が変動中、あるいは「大当たり状態」中である場合には、図柄表示部の前方を遊技球が流下しないように構成することも可能である。
【００３５】
なお、上記実施形態においては、本発明の遊技機がパチンコ機である場合の一例について説明したが、本発明の遊技機は、パチンコ機以外の他の遊技機であっても良い。
【００３６】
【発明の効果】
請求項１に記載された発明のパチンコ機は、遊技部材に進入した遊技球が、図柄表示部の両脇ばかりでなく、への字状に屈曲した複数の障害体と衝突しながら図柄表示部の前方をも流下するため、従来のパチンコ機と比較した場合に、遊技球の流下態様がバラエティーに富んでいる。また、板部材が透明であるので、図柄表示部の前方に板部材が設置されているにも拘わらず、図柄表示部を明確に視認することができ、図柄表示部の表示内容を楽しむことができる。このため、遊技の趣向性が高く、遊技者はいつまでも飽きることなく遊技を楽しむことができる。さらに、への字状に屈曲した複数の障害体によって、板部材の前方を流下する遊技球の落下速度を増大させないので、図柄表示部の下側に配置された入賞装置等の損傷を防止することができる。加えて、板部材上に、左右対称な「への字」状に屈曲した透明な複数の障害体が、液晶画面のほぼ全面の前方に位置するように千鳥状に立設した状態になっており、上側に位置した障害体に衝突した遊技球が、下側に位置した障害体に衝突する可能性が非常に高く、流下する遊技球が左右に大きく揺れ動くため、遊技球の流下態様が非常に面白い。
また、請求項１に記載された発明のパチンコ機によれば、遊技部材に、上部に設けられた飛込口と連通し該飛込口から進入した遊技球が通過可能な第１中空路を、表示部の液晶画面の上部及び左右両側に亘って設け、左右両側に設けられた第１中空路の下端を、遊技球よりも幅広に形成された第１排出部を備えてなる第１ステージに連通させるとともに、遊技部材の第１中空路よりも後方で且つ液晶画面の前方となる位置に、複数の障害体を立設した透明な板部材を設置し、該板部材の上方に、飛込口と連通し飛込口から進入した遊技球が通過可能で、板部材の前面へと遊技球を導く第２中空路を設ける一方、板部材の下方で且つ第１ステージよりも上方となる位置に、遊技球略１個程度の幅を有し平面視で第１排出部と同一直線上に形成された第２排出部を備えた第２ステージを設け、飛込口から進入した遊技球のうちの一部を、第１中空路を介して第１ステージへと導き、第１排出部から前記遊技部材外へと排出するとともに、飛込口から進入した遊技球のうちの一部を、第２中空路を介して板部材の前面へと導き、その板部材の前方を流下させて第２ステージへと導き、第２排出部から第１排出部を介して遊技部材外へと排出するようにしている。したがって、流下態様に富む上、たとえば第１排出部の前方に普通電動役物等を設置することによって、第１排出部から排出された遊技球は、さほど高い確率で普通電動役物に入賞しないが、第２排出部を通過した遊技球は、きわめて高い確率で普通電動役物に入賞することになる、といった構成も可能となる。
【図面の簡単な説明】
【図１】パチンコ機の正面図である。
【図２】板部材の正面図である。
【図３】板部材の斜視図である。
【図４】パチンコ機の正面図である。
【図５】遊技部材の正面図である。
【図６】遊技部材の背面図である。
【図７】図５におけるＡ−Ａ線断面図である。
【図８】図７におけるＡ−Ａ線断面図である。
【図９】図７におけるＢ−Ｂ線断面図である。
【図１０】遊技部材の斜視図である。
【図１１】パチンコ機の正面図である。
【図１２】遊技部材の正面図である。
【図１３】図１２におけるＡ−Ａ線断面図である。
【図１４】遊技部材の斜視図である。
【図１５】遊技部材内を遊技球が流下する様子を示す説明図である。
【符号の説明】
１ａ，１ｂ，１ｃ・・パチンコ機、２・・遊技領域、３・・図柄表示部、４・・板部材、５・・障害体、６・・メモリー表示部、７・・ネジ孔、８・・普通図柄表示装置、９・・普通電動役物、１０・・普通図柄始動ゲート、１１・・大入賞口、１２・・扉部、１３・・前面扉、１４・・発射ハンドル、１５・・導球路、１６・・遊技部材、１７・・ネジ孔、１８・・板部材、１９・・水平部、２０・・入賞部、２１・・入賞口、２２・・飛込口、２３・・導球部、２４・・小型表示装置、２５・・第１中空路、２６・・第１振分部、２７・・第１ステージ、２８・・第１排出部、２９・・ガード、３０・・排出口、３１・・第１案内体、３２・・通過孔、３３・・取付板、３４・・基板、３５・・第２中空路、３６・・第２振分体、３７・・第２ステージ、３８・・第２排出部、３９・・第１通過口、４０・・第２通過口、４１・・第２案内体、４２・・供給皿、４３・・貯留皿、４４・・遊技部材、４５・・開口部、４６・・遊技球通路、４７・・入賞部、４８・・入球口、４９・・底板、５０・・凸状体、５１ａ，５１ｂ・・桟状体、５２・・凸状体、５３・・ネジ孔、５４・・底板、５５・・導球溝、５６・・図柄始動入賞口。
【図１】
0003722339.tif 000002
【図２】
0003722339.tif 000003
【図３】
0003722339.tif 000004
【図４】
0003722339.tif 000005
【図５】
0003722339.tif 000006
【図６】
0003722339.tif 000007
【図７】
0003722339.tif 000008
【図８】
0003722339.tif 000009
【図９】
0003722339.tif 000010
【図１０】
0003722339.tif 000011
【図１１】
0003722339.tif 000012
【図１２】
0003722339.tif 000013
【図１３】
0003722339.tif 000014
【図１４】
0003722339.tif 000015
【図１５】
0003722339.tif 000016